(57)【要約】      （修正有）【課題】着用する衣類本体に磁石を取り付けて長期使用に耐えられるように構成された磁石付き衣類であって、磁石を容易に衣類本体に取り付けることができ、かつ製作に係るコストを低減することができる磁石付き衣類を提供する。【解決手段】衣類本体１と、熱溶融された樹脂剤３を用いてこの衣類本体１に接着された磁石２とを備え、樹脂剤３は、ポリアミド系樹脂剤であり、磁石２は、位置決め用治具４を用いて衣類本体１に位置決めされてから接着されている。また、磁石付き衣類１０は、位置決め用治具４により、衣類本体１を台座に押圧するとともにこの位置決め用治具４の治具本体４ａに設けられた位置決め孔４ｂに磁石２と樹脂剤３とが収容された後に樹脂剤３が溶融されることにより、磁石２と樹脂剤３とが位置決めされ接着されている。【選択図】図５
0003103158.tif 000002
【実用新案登録請求の範囲】
【請求項１】
衣類本体と、
熱溶融された樹脂剤を用いてこの衣類本体に接着された磁石と
を備えたことを特徴とする磁石付き衣類。
【請求項２】
上記樹脂剤は、ポリアミド系樹脂剤であることを特徴とする請求項１記載の磁石付き衣類。
【請求項３】
上記磁石は、位置決め用治具を用いて衣類本体に位置決めされてから接着されたものであり、
上記位置決め用治具により、衣類本体を台座に押圧するとともにこの位置決め用治具の治具本体に設けられた位置決め孔に磁石と樹脂剤とが収容された後に樹脂剤が溶融されることにより、磁石と樹脂剤とが位置決めされ接着されていることを特徴とする請求項２に記載の磁石付き衣類。
【請求項４】
上記樹脂剤は、磁石を覆っている状態で熱溶融後に金型により成形されていることを特徴とする請求項１ないし請求項３のいずれかに記載の磁石付き衣類。
【請求項５】
上記磁石の位置する面と反対側の衣類本体の面から熱が供給されることにより樹脂剤が溶融され、磁石と衣類本体とが接着されたものであることを特徴とする請求項１ないし請求項４のいずれかに記載の磁石付き衣類。
【請求項６】
上記衣類本体は、アンダーウェアであり、
上記磁石は、アンダーウェアの肩部分の裏面に接着されたものであることを特徴とする請求項１ないし請求項５のいずれかに記載の磁石付き衣類。
【請求項７】
上記アンダーウェアは、ブラジャーであり、
上記磁石は、ブラジャーの肩部分に設けられるストラップの裏面に接着されたものであることを特徴とする請求項６に記載の磁石付き衣類。
【考案の詳細な説明】
【技術分野】
【０００１】
本考案は、衣類本体と、磁石とを備えた磁石付き衣類に関するものである。
【背景技術】
【０００２】
一般に、磁石によって発生する磁力は、血管の中を流れる血液の循環を促進して肩こりなどの症状に効果があると言われており、従来、肩など症状のある部位に貼付して、その部位を施療しようとする磁石付き粘着シールが知られていた。
【０００３】
しかし、この磁石付き粘着シールは、何度か張り替えているうちに、粘着シールの接着力が低下して使用に供することができなくなる結果、廃棄せざるを得なくなるという問題があった。
【０００４】
そこで近年では、この問題を解消するために、着用する衣類本体に磁石を取り付けて長期使用に耐えられるように構成された磁石付き衣類が種々開発されている。
【０００５】
例えば、特許文献１には、永久磁石を高分子フィルムのチューブの中に配列したテープ状部材を、チューブ状に形成された肩紐の内部に取り付けたブラジャーの技術が開示されている。
【特許文献１】特開２００３−２５０９１６号公報
【考案の開示】
【考案が解決しようとする課題】
【０００６】
しかしながら、上述の実用新案文献１に開示された磁石付き衣類は、内部に磁石を配列した高分子フィルムのチューブからなるテープ状部材を製作する工程と、肩紐をチューブ状に形成する工程と、テープ状部材をチューブ状に形成された肩紐の内部に取り付ける工程とが必要になるなど、磁石付き衣類の製作に係るコストが増大するという不具合があった。
【０００７】
本考案は上記不具合に鑑みてなされたものであり、磁石を容易に衣類本体に取り付けることができて、製作に係るコストを低減することができる磁石付き衣類を提供することを課題としている。
【課題を解決するための手段】
【０００８】
上記課題を解決するための本考案は、衣類本体と、熱溶融された樹脂剤を用いてこの衣類本体に接着された磁石とを備えたことを特徴とする磁石付き衣類である。
【０００９】
本考案によれば、熱溶融された樹脂剤を用いて磁石を衣類本体に接着するので、容易に衣類本体に接着することができる結果、製作に係るコストを大幅に低減することができる。また、樹脂剤は、接着後、強力に磁石と衣類本体とを結合するので、十分な耐久性を備えた磁石付き衣類を実現することができる。
【００１０】
上記樹脂剤は、ポリアミド系樹脂剤であることが好ましい。
【００１１】
この好ましい態様によれば、樹脂剤として、ポリアミド系樹脂剤を用いるので、容易に適度な粘性を有する状態に熱溶融させることができる。また、ポリアミド系樹脂剤は、冷却されて硬化した後の強度が大きいので、より高い耐久性を備えた磁石付き衣類を実現することができる。
【００１２】
上記磁石は、位置決め用治具を用いて衣類本体に位置決めされてから接着されたものであり、上記位置決め用治具により、衣類本体を台座に押圧するとともにこの位置決め用治具の治具本体に設けられた位置決め孔に磁石と樹脂剤とが収容された後に樹脂剤が溶融されることにより、磁石と樹脂剤とが位置決めされ接着されていることが好ましい。
【００１３】
このようにすれば、位置決め用治具で衣類本体を台座に押圧するので、衣類本体の台座上での位置が正確に定まる。また、位置決め孔に磁石と樹脂剤とを収容して衣類本体上で磁石と樹脂剤とを位置決めするので、高い精度で磁石を衣類本体上に接着することができる。
【００１４】
また、上記樹脂剤は、磁石を覆っている状態で熱溶融後に金型により成形されていることが好ましい。
【００１５】
このようにすれば、金型により樹脂剤を成形するので、任意の形状に樹脂剤を成形することができる。特に、衣類本体の肌に接する部分などにおいては、磁石の取り付け部分の表面形状をなめらかなものに成形することができる。
【００１６】
また、この磁石付き衣類は、さらに上記磁石の位置する面と反対側の衣類本体の面から熱が供給されることにより樹脂剤が溶融され、磁石と衣類本体とが接着されたものであることが好ましい。
【００１７】
このようにすれば、磁石の位置する面と反対側の面から熱を供給して樹脂剤を溶融し、磁石と衣類本体とを接着するので、樹脂剤がより効果的に衣類本体に浸透し、磁石と衣類本体とをより強力に結合する結果、さらに高い耐久性を備えた磁石付き衣類を実現することができる。
【００１８】
上記衣類本体は、アンダーウェアであり、上記磁石は、アンダーウェアの肩部分の裏面に接着されたものであることが好ましい。
【００１９】
このようにすれば、アンダーウェアの肩部分の裏面に磁石が接着されているので、肌により近く磁石を配置することができる結果、肩の部分に対する磁石の効果をより高めることができる。
【００２０】
また、上記アンダーウェアは、ブラジャーであり、上記磁石は、ブラジャーの肩部分に設けられるストラップの裏面に接着されたものであることが好ましい。
【００２１】
このようにすれば、磁石がブラジャーのストラップの裏面に接着されたものであるので、特にストラップの存在により負担がかかる肩の部分に対して効果的に磁力を作用させることができる。
【考案の効果】
【００２２】
以上説明したように、本考案によれば、熱溶融された樹脂剤を用いて磁石を衣類本体に接着するので、磁石を容易に衣類本体に接着することができる結果、磁石付き衣類の製作に係るコストを大幅に低減することができるという顕著な効果を奏する。また、また、樹脂剤は、接着後、強力に磁石と衣類本体とを結合するので、十分な耐久性を備えた磁石付き衣類を実現することができるという顕著な効果を奏する。
【考案を実施するための最良の形態】
【００２３】
以下、添付図面を参照しながら本考案の好ましい実施の一形態について詳述する。図１と図２とは、本考案の実施の形態に係る磁石付き衣類１０の構成を示す説明図であり、図１は、磁石付き衣類１０を前方から見た斜視図である。また、図２は、磁石付き衣類１０を後方から見た斜視図である。
【００２４】
次に、図３と図４とは、本考案の実施の形態に係る磁石付き衣類１０の肩部分であるストラップ１ｄの構成を示す説明図であり、図３は、ストラップ１ｄを表面側から見た斜視図である。また、図２は、ストラップ１ｄを裏面側から見た斜視図である。
【００２５】
次に、図５は、本考案の実施の形態に係る磁石付き衣類１０の位置決め用治具４の構成を示す説明図であり、図６は、位置決め用治具４に適用される金型６の作用を示す側面図である。
【００２６】
図１と図２とを参照して、図示の本考案の実施の形態に係る磁石付き衣類１０は、衣類本体１と、熱溶融された樹脂剤３（図５、図６）を用いてこの衣類本体１に接着された磁石２とを備えている。
【００２７】
この磁石付き衣類１０の磁石２は、図５に示すように、位置決め用治具４を用いて衣類本体１に位置決めされたものであり、熱源である加工機械面５から磁石２の位置する面と反対側の衣類本体１の面に対して熱が供給されることにより、樹脂剤３が熱溶融される。
【００２８】
また、図６に示すように、金型６が樹脂剤３と磁石２との上から衣類本体１に押し付けられることにより、熱溶融され磁石２を覆っている状態の樹脂剤３が成形されて磁石２と衣類本体１とが接着されるようになっている。
【００２９】
上記衣類本体１は、綿、ポリエステルなどからなるアンダーウェアであり、本実施形態では、パッド部１ａと、スチール製のフック１ｂ（図２）を有するベルト部１ｃと、肩部分のストラップ１ｄとを備えたブラジャー１ｅが衣類本体１として適用されている。
【００３０】
ストラップ１ｄは、ナイロンとポリウレタンの混紡素材からなり、図３と図４とに示すように、ストラップ１ｄを、パッド部１ａと、ベルト部１ｃとに連結するためのストラップ引っ掛け具１ｆを両端に有している。また、ストラップ１ｄの端部の折り返し長さを調節してストラップ１ｄ全体の長さを調節するための長さ調節具１ｇが端部に設けられている。
【００３１】
上記磁石２は、主としてアルニコ系、フェライト系、希土類系などの磁性材料からなるボタン状の永久磁石であり、本実施形態では、ブラジャー１ｅの両肩部分にそれぞれ設けられるストラップ１ｄの裏面すなわち着用者の身体側に複数個接着されている。
【００３２】
上記樹脂剤３は、磁石２を衣類本体１に取り付けるための接着剤であり、本実施形態では、ポリアミド系樹脂剤が採用されている。この樹脂剤３は、図５と図６とに示すように、加工機械面５から供給される熱により熱溶融されて流動化し、磁石２を覆うとともに磁石２と衣類本体１との間に浸漬する。そして、その後、冷却されることにより硬化して衣類本体１に磁石２を堅固に接着する。
【００３３】
上記位置決め用治具４は、図５に示すように、衣類本体１を台座である加工機械面５に押圧して固定する板状の治具本体４ａと、治具本体４ａに設けられ磁石２を衣類本体１の所定の位置に収容可能な少なくとも１つの位置決め孔４ｂとを備えている。そして、治具本体４ａに設けられたこの位置決め孔４ｂに磁石２と樹脂剤３とが収容されることにより、衣類本体１上で磁石２と樹脂剤３とが位置決めされ、この状態で加工機械面５から熱が加えられ、磁石２が衣類本体１に溶融接着される。
【００３４】
上記加工機械面５は、銅などの熱伝導性の良好な金属からなる平滑な面であり、図外の電熱器により摂氏約１３０度に保たれている。
【００３５】
上記金型６は、図６に示すように、概ね円柱状の金属製部材から金型本体６ａと、金型本体６ａの底面に下向きに開口するように設けられ、樹脂剤３と磁石２との頂部を収容可能な円形有底の凹部６ｂとを有している。この金型６は、概ね常温の温度を有しており、熱溶融され磁石２を覆っている状態の樹脂剤３が冷却成形されるように、樹脂剤３と磁石２との上から衣類本体１に押し付けられる。
【００３６】
次に、図１〜図６を参照して、本考案の実施の形態に係る磁石付き衣類１０の加工方法と作用とについて説明する。
【００３７】
図５を参照して、本考案の実施の形態に係る磁石付き衣類１０においては、図示のように、まず、加工機械面５の上に衣類本体１が載置される。
【００３８】
次に、衣類本体１の上に位置決め用治具４が載置され、板状の治具本体４ａにより衣類本体１を加工機械面５に押圧して固定する。
【００３９】
また、この位置決め用治具４の位置決め孔４ｂに、上から磁石２と樹脂剤３とが投入されて収容されることにより、磁石２と樹脂剤３とが衣類本体１上で位置決めされる。
【００４０】
この状態で、加工機械面５から熱が供給されて樹脂剤３が適度な粘性を有する状態に熱溶融し、磁石２を覆うとともに磁石２と衣類本体１との間に浸透する。
【００４１】
そして、金型６が、上から樹脂剤３と磁石２とに押し付けられ、冷却され硬化した樹脂剤３が、磁石２と衣類本体１とを接着する。また、金型６の底面に設けた凹部６ｂの形状に樹脂剤３が成形されて表面形状をなめらかなものにする。
【００４２】
以上説明したように、本考案の実施の形態に係る磁石付き衣類１０によれば、熱溶融された樹脂剤３を用いて磁石２を衣類本体１に接着するので、容易に衣類本体１に接着することができる結果、製作に係るコストを大幅に低減することができる。また、樹脂剤３は、接着後、強力に磁石２と衣類本体１とを結合するので、十分な耐久性を備えた磁石付き衣類１０を実現することができる。
【００４３】
次に、樹脂剤３として、ポリアミド系樹脂剤を用いるので、容易に適度な粘性を有する状態に熱溶融させることができる。また、ポリアミド系樹脂剤は、冷却されて硬化した後の強度が大きいので、より高い耐久性を備えた磁石付き衣類１０を実現することができる。
【００４４】
また、本考案の実施の形態に係る磁石付き衣類１０によれば、位置決め用治具４の板状の治具本体４ａで衣類本体１を加工機械面５に押圧するので、衣類本体１の加工機械面５上での位置が正確に定まる。また、位置決め孔４ｂに磁石２と樹脂剤３とを収容して衣類本体１上で磁石２と樹脂剤３とを位置決めするので、高い精度で磁石２を衣類本体１上に接着することができる。
【００４５】
また、金型６により樹脂剤３を成形するので、任意の形状に樹脂剤３を成形することができる。特に、衣類本体１の肌に接する部分などにおいては、磁石２の取り付け部分の表面形状をなめらかなものに成形することができる。
【００４６】
また、磁石２の位置する面と反対側の面から熱を供給して樹脂剤３を溶融し、磁石２と衣類本体１とを接着するので、樹脂剤３がより効果的に衣類本体１に浸透し、磁石２と衣類本体１とをより強力に結合する結果、さらに高い耐久性を備えた磁石付き衣類１０を実現することができる。
【００４７】
さらに、本考案の実施の形態に係る磁石付き衣類１０によれば、アンダーウェアの肩部分の裏面に磁石２が接着されているので、肌により近く磁石２を配置することができる結果、肩の部分に対する磁石２の効果をより高めることができる。
【００４８】
そして、本考案の実施の形態に係る磁石付き衣類１０によれば、磁石２がブラジャー１ｅのストラップ１ｄの裏面に接着されたものであるので、特にストラップ１ｄの存在により負担がかかる肩の前後の部分に対して効果的に磁力を作用させることができる。
【００４９】
上述した実施の形態は、本考案の好ましい具体例を例示したものに過ぎず、本考案は上述した実施の形態に限定されない。
【００５０】
例えば、衣類本体１は、アンダーウェアやブラジャーに限らず、種々の衣類に適用可能である。また、衣類本体１の素材は、綿、ポリエステルなどに限らず、種々の衣料用材料が採用可能である。
【００５１】
磁石２も必ずしもアルニコ系、フェライト系、希土類系などの磁性材料からなるボタン状の永久磁石に限定されない。その他の磁性材料が採用可能である。また、形状も種々の設計変更が可能である。
【００５２】
樹脂剤３も必ずしもポリアミド系樹脂剤に限定されない。熱により熱溶融されて流動化し、磁石２を覆うとともに磁石２と衣類本体１との間に浸漬するとともに、冷却されることにより硬化して衣類本体１に磁石２を堅固に接着することができるものであれば種々の樹脂材が採用可能である。
【００５３】
加工機械面５の温度も摂氏約１３０度に限定されない。採用される樹脂材や磁石の性状に応じて種々の設計変更が可能である。
【００５４】
金型６も必ずしも円柱状の金属製部材に限らず、樹脂剤３が冷却成形されるように構成されているものであれば、材質形状など種々の設計変更が可能である。
【００５５】
その他、本考案の実用新案請求の範囲内で種々の設計変更が可能であることはいうまでもない。
【図面の簡単な説明】
【００５６】
【図１】本考案の実施の形態に係る磁石付き衣類の構成を示す説明図であり、磁石付き衣類を前方から見た斜視図である。
【図２】本考案の実施の形態に係る磁石付き衣類の構成を示す説明図であり、磁石付き衣類を後方から見た斜視図である。
【図３】本考案の実施の形態に係る磁石付き衣類の肩部分であるストラップの構成を示す説明図であり、ストラップを表面側から見た斜視図である。
【図４】本考案の実施の形態に係る磁石付き衣類の肩部分であるストラップの構成を示す説明図であり、ストラップを裏面側から見た斜視図である。
【図５】本考案の実施の形態に係る磁石付き衣類の位置決め用治具の構成を示す説明図である。
【図６】位置決め用治具に適用される金型の作用を示す側面図である。
【符号の説明】
【００５７】
１      衣類本体
１ｄ    ストラップ
１ｅ    ブラジャー
２      磁石
３      樹脂剤
４      位置決め用治具
４ａ    治具本体
４ｂ    位置決め孔
５      加工機械面（台座）
６      金型
１０    磁石付き衣類
【図１】
0003103158.tif 000003
【図２】
0003103158.tif 000004
【図３】
0003103158.tif 000005
【図４】
0003103158.tif 000006
【図５】
0003103158.tif 000007
【図６】
0003103158.tif 000008